(57)【特許請求の範囲】
【請求項１】
底面に吸込口を有し、側面に通風口を設けた箱体で内部に送風機が設けられる本体と、この本体の底面に設けた吸込口を覆うように形成されたルーバと、このルーバの裏面部側の通風開口部の周辺に、一対設けられる二又状で中央に環状部を設けた開き勝手のばねと、このばねの環状部が装着されるばね取付部とを設け、前記本体の内部で前記吸込口側寄りに設けられるばね係合部を備え、前記ばねの先端部と環状部の間に筒形状のルーバ取付部を設けた換気装置であって、前記底面に前記ルーバを取り付ける際には前記ルーバ取付部を前記ばね係合部に係合させ、前記底面から前記ルーバを取り外す際には前記ルーバを摺動させて前記ルーバ取付部を前記ばね係合部から着脱させ、前記ルーバ取付部の前記ばね係合部と着脱する側の両端に、前記ばね係合部に係合するルーバ取付係合部を設けたことを特徴とする換気装置。
【請求項２】
ルーバ取付係合部を、外側に突起を設けた突起部を形成したことを特徴とする請求項１記載の換気装置。
【請求項３】
突起部を、ばね係合部に挿入する側に傾斜部を設けたことを特徴とする請求項２記載の換気装置。
【請求項４】
突起部を、ばね係合部から取り外す側に傾斜部を設けたことを特徴とする請求項２または３記載の換気装置。
【請求項５】
ルーバ取付部のばね係合部と着脱する側の開口部の両端とルーバ取付係合部との間に、隙間を設けたことを特徴とする請求項１または２記載の換気装置。
【請求項６】
ルーバ取付部のばね係合部と着脱する側に、ストッパーを設けたことを特徴とする請求項１、２、５のいずれかに記載の換気装置。
【請求項７】
底面に吸込口を有し、側面に通風口を設けた箱体で内部に送風機が設けられる本体と、この本体の底面に設けた吸込口を覆うように形成されたルーバと、このルーバの裏面部側の通風開口部の周辺に、一対設けられる二又状で中央に環状部を設けた開き勝手のばねと、このばねの環状部が装着されるばね取付部とを設け、前記本体の内部で前記吸込口側寄りに設けられるばね係合部を備え、前記ばねの先端部と環状部の間に筒形状のルーバ取付部を設けた換気装置であって、前記底面に前記ルーバを取り付ける際には前記ルーバ取付部を前記ばね係合部に係合させ、前記底面から前記ルーバを取り外す際には前記ルーバを摺動させて前記ルーバ取付部を前記ばね係合部から着脱させ、前記ルーバ取付部に、滑り止めを設けたことを特徴とする換気装置。
【請求項８】
ルーバ取付部に、滑り止めを設けたことを特徴とする請求項１または４記載の換気装置。
【請求項９】
ルーバ取付部に、ばね係合部に取り付ける方向を示す表示部を設けたことを特徴とする請求項１、４、５のいずれかに記載の換気装置。
【請求項１０】
表示部を、暗くても発光する発光材料とすることを特徴とする請求項７または８記載の換気装置。
【発明の詳細な説明】
【技術分野】
【０００１】
本発明は、天井に埋込み設けられる換気装置の本体の吸込口を覆うようにルーバを設けた換気装置に関する。
【背景技術】
【０００２】
従来、この種の換気装置として、天井埋込形換気扇が知られている（例えば、特許文献１参照）。
【０００３】
以下、その換気装置について図６および図７を参照にしながら説明する。
【０００４】
図に示すように、二股状のばね１０１を開閉するためのルーバ取付部１０２を設けたコ字状の係止具１０３をルーバ１０４に装着し、かつ、係止具１０３に係合するコ字状のばね係合部１０５を本体ケ−ス１０６の側壁に装着し、ルーバ取付部１０２はばね係合部１０５により押し下げられることにより、ばね１０１が開状態となり、ルーバ１０４は本体ケ−ス１０６に固定されるようになっている。
【０００５】
また、ルーバ１０４を取り外す際には、ルーバ１０４を下に引っ張り、ばね１０１の先端を閉状態にしてからばね１０１の先端をばね係合部１０５から脱出させるようになっている。
【先行技術文献】
【特許文献】
【０００６】
【特許文献１】実開平７−２８３３号公報
【発明の概要】
【発明が解決しようとする課題】
【０００７】
このような従来の換気装置では、ルーバを取り外す際にはルーバを下に引っ張り、ばねの先端を閉状態にしてからばねの先端を係合部から脱出させているので、非常にやりにくい作業になるという不具合を生じており、また、ばねの弾性力により閉状態のばねを取り外す時に、突発的に開状態になり、手などの身体に接触するおそれがある等の課題がある。
【０００８】
本発明は、このような従来の課題を解決するものであり、ルーバの取り付けおよび取り外しを容易にし、さらに、身体に接触するおそれがない換気装置を提供することを目的とする。
【課題を解決するための手段】
【０００９】
本発明の換気装置は、上記目的を達成するために、底面に吸込口を有し、側面に通風口を設けた箱体で内部に送風機が設けられる本体と、この本体の底面に設けた吸込口を覆うように形成されたルーバと、このルーバの裏面部側の通風開口部の周辺に、一対設けられる二又状で中央に環状部を設けた開き勝手のばねと、このばねの環状部が装着されるばね取付部とを設け、前記本体の内部で前記吸込口側寄りに設けられるばね係合部を備え、前記ばねの先端部と環状部の間に筒形状のルーバ取付部を設けた換気装置であって、前記底面に前記ルーバを取り付ける際には前記ルーバ取付部を前記ばね係合部に係合させ、前記底面から前記ルーバを取り外す際には前記ルーバを摺動させて前記ルーバ取付部を前記ばね係合部から着脱させる構成としたものである。
【００１０】
また、他の手段は、ルーバ取付部のばね係合部と着脱する側とばね係合部の形状を、同じ形状としたものである。
【００１１】
また、他の手段は、ルーバ取付部のばね係合部と着脱する側の両端に、ばね係合部に係合するルーバ取付係合部を設けたものである。
【００１２】
また、他の手段は、ルーバ取付係合部を、外側に突起を設けた突起部を形成したものである。
【００１３】
また、他の手段は、突起部を、ばね係合部に挿入する側に傾斜部を設けたものである。
【００１４】
また、他の手段は、突起部を、ばね係合部から取り外す側に傾斜部を設けたものである。
【００１５】
また、他の手段は、ルーバ取付部のばね係合部と着脱する側の開口部の両端とルーバ取付係合部との間に、隙間を設けたものである。
【００１６】
また、他の手段は、ルーバ取付部のばね係合部と着脱する側に、ストッパーを設けたものである。
【００１７】
また、他の手段は、ばねの先端に、ルーバ取付部の端部に引っ掛かる抜け止めを設けたものである。
【００１８】
また、他の手段は、抜け止めを、１重の環状部としたものである。
【００１９】
また、他の手段は、ばねの先端側に、ルーバ取付部内の形状と同じ形状にするものである。
【００２０】
また、他の手段は、ルーバ取付部に、滑り止めを設けたものである。
【００２１】
また、他の手段は、ルーバ取付部に、ばね係合部に取り付ける方向を示す表示部を設けたものである。
【００２２】
また、他の手段は、表示部を、暗くても発光する発光材料とするものである。
【００２３】
また、他の手段は、ばね係合部の材質を、ポリプロピレンとしたものである。
【発明の効果】
【００２４】
本発明によれば、底面に吸込口を有し、側面に通風口を設けた箱体で内部に送風機が設けられる本体と、この本体の底面に設けた吸込口を覆うように形成されたルーバと、このルーバの裏面部側の通風開口部の周辺に、一対設けられる二又状で中央に環状部を設けた開き勝手のばねと、このばねの環状部が装着されるばね取付部とを設け、前記本体の内部で前記吸込口側寄りに設けられるばね係合部を備え、前記ばねの先端部と環状部の間に筒形状のルーバ取付部を設けた換気装置であって、前記底面に前記ルーバを取り付ける際には前記ルーバ取付部を前記ばね係合部に係合させ、前記底面から前記ルーバを取り外す際には前記ルーバを摺動させて前記ルーバ取付部を前記ばね係合部から着脱させる構成としたことにより、ルーバの取り付けの容易さを維持しつつ、さらにルーバの取り外しを容易にして掃除性を向上させることができ、また、ルーバの取り外す時に、ばねが突発的に開状態になり、手などの身体接触するおそれがないという効果のある換気装置を提供することができる。
【００２５】
また、ルーバ取付部のばね係合部と着脱する側とばね係合部の形状を、同じ形状としたことにより、ルーバの取り外しを必要とするお手入れの際、ルーバの本体への取り付けが容易になり間違って取り付けることのなくなるという効果のある換気装置を提供することができる。
【００２６】
また、ルーバ取付部のばね係合部と着脱する側の両端に、ばね係合部に係合するルーバ取付係合部を設けたことにより、ルーバの取り外しが容易になり、お手入れがしやすくなるとともに、ルーバの取り外す時に、ばねが突発的に開状態になり、手などの身体へ接触するおそれがないという効果のある換気装置を提供することができる。
【００２７】
また、ルーバ取付係合部を、外側に突起を設けた突起部を形成したことにより、ルーバの取り外しが容易になり、お手入れがしやすくなるという効果のある換気装置を提供することができる。
【００２８】
また、突起部を、ばね係合部に挿入する側に傾斜部を設けたことにより、ルーバの取り付が容易になり、掃除性が向上するという効果のある換気装置を提供することができる。
【００２９】
また、突起部を、ばね係合部から取り外す側に傾斜部を設けたことにより、ルーバの取り外しが容易になり、掃除性が向上するという効果のある換気装置を提供することができる。
【００３０】
また、ルーバ取付部のばね係合部と着脱する側の開口部の両端とルーバ取付係合部との間に、隙間を設けたことにより、ルーバの取り外しが容易になり、掃除性が向上するという効果のある換気装置を提供することができる。
【００３１】
また、ルーバ取付部のばね係合部と着脱する側に、ストッパーを設けたことにより、ルーバと天井の隙間等を防止することができ、インテリア性が向上するという効果のある換気装置を提供することができる。
【００３２】
また、ばねの先端に、ルーバ取付部の端部に引っ掛かる抜け止めを設けたことにより、ばねの突発的な開放がなくなり身体に接触するおそれがないという効果のある換気装置を提供することができる。
【００３３】
また、抜け止めを、１重の環状部としたことにより、ルーバ着脱時の安全性が向上するという効果のある換気装置を提供することができる。
【００３４】
また、ばねの先端側に、ルーバ取付部内の形状と同じ形状にすることにより、ルーバの取り付けおよび取り外しが容易になり掃除性が向上するという効果のある換気装置を提供することができる。
【００３５】
また、ルーバ取付部に、滑り止めを設けたことにより、ルーバの取り付けが容易になり、掃除性が向上するという効果のある換気装置を提供することができる。
【００３６】
また、ルーバ取付部に、ばね係合部に取り付ける方向を示す表示部を設けたことにより、ルーバの取り付けが容易になり、掃除性が向上するという効果のある換気装置を提供することができる。
【００３７】
また、表示部を、暗くても発光する発光材料とすることにより、ルーバの取り付けが容易になり、掃除性が向上するという効果のある換気装置を提供することができる。
【００３８】
また、ばね係合部の材質を、ポリプロピレンとしたことにより、バネの力やルーバ取付部の係合によってばね係合部が破損することがないという効果のある換気装置を提供することができる。
【図面の簡単な説明】
【００３９】
【図１】本発明の実施の形態１の換気装置を示す側面構成図
【図２】同換気装置を示す斜視図
【図３】同換気装置に取り付けられるルーバを示す斜視図
【図４】同換気装置のルーバのばねに取り付けられるルーバ取付部を示す斜視図
【図５】同換気装置のルーバ着脱時におけるばねの動きを示す図
【図６】従来の換気装置を示す側面構成図
【図７】同換気装置の要部斜視図
【発明を実施するための形態】
【００４０】
本発明の換気装置は、底面に吸込口を有し、側面に通風口を設けた箱体で内部に送風機が設けられる本体と、この本体の底面に設けた吸込口を覆うように形成されたルーバと、このルーバの裏面部側の通風開口部の周辺に、一対設けられる二又状で中央に環状部を設けた開き勝手のばねと、このばねの環状部が装着されるばね取付部とを設け、前記本体の内部で前記吸込口側寄りに設けられるばね係合部を備え、前記ばねの先端部と環状部の間に筒形状のルーバ取付部を設けた換気装置であって、前記底面に前記ルーバを取り付ける際には前記ルーバ取付部を前記ばね係合部に係合させ、前記底面から前記ルーバを取り外す際には前記ルーバを摺動させて前記ルーバ取付部を前記ばね係合部から着脱させる構成としたものであり、ルーバ取付部をばね係合部に取り付け、ルーバを上方へ押すことによりルーバが取り付き、ルーバを外す時は従来のようにルーバを下に引っ張りばねを閉じる必要が無く、ルーバを下に引っ張る動作だけで外すことができるという作用を有する。
【００４１】
また、ルーバ取付部のばね係合部と着脱する側とばね係合部の形状を、同じ形状としたものであり、ルーバ取り付けの際、一目でルーバ取付部を取り付ける場所を把握できるという作用を有する。
【００４２】
また、ルーバ取付部のばね係合部と着脱する側の両端に、ばね係合部に係合するルーバ取付係合部を設けたものであり、ルーバを下方へ引くことでルーバ取付部は固定されたままばねが閉状態に保持され、ルーバ取付部とばねを一体で取り外すことができるという作用を有する。
【００４３】
また、ルーバ取付係合部を、外側に突起を設けた突起部を形成したものであり、ルーバ取付係合部を外側にすることでばねの摺動および開放の妨げとならないという作用を有する。
【００４４】
また、突起部を、ばね係合部に挿入する側に傾斜部を設けたものであり、より少ない力でルーバ取付部を取り付けることができるという作用を有する。
【００４５】
また、突起部を、ばね係合部から取り外す側に傾斜部を設けたものであり、より少ない力でルーバ取付部を取り外すことができるという作用を有する。
【００４６】
また、ルーバ取付部のばね係合部と着脱する側の開口部の両端とルーバ取付係合部との間に、隙間を設けたものであり、ルーバ取付係合部がたわみ易くなり、ルーバ取り外し時にルーバ取付部が外れ易く、ばねがルーバ取付部から外れることを防ぐことができるという作用を有する。
【００４７】
また、ルーバ取付部のばね係合部と着脱する側に、ストッパーを設けたものであり、ルーバ取付部の入り過ぎを防止でき、ばねの開放がより確実になるという作用を有する。
【００４８】
また、ばねの先端に、ルーバ取付部の端部に引っ掛かる抜け止めを設けたものであり、ばねがルーバ取付部から抜けないようにすることができるという作用を有する。
【００４９】
また、抜け止めを、１重の環状部としたものであり、ばね先端に鋭利部を形成しないという作用を有する。
【００５０】
また、ばねの先端側に、ルーバ取付部内の形状と同じ形状にするものであり、ルーバ取付部をばね先端で保持することができ、ばねの開閉を平易に行うことができるという作用を有する。
【００５１】
また、ルーバ取付部に、滑り止めを設けたものであり、ルーバ取付部を本体のばね係合部に取り付ける際、滑りにくくなり取り付けが容易になるという作用を有する。
【００５２】
また、ルーバ取付部に、ばね係合部に取り付ける方向を示す表示部を設けたものであり、ルーバ取り付け時、表示部を見ることでルーバ取付部の取り付け方向がわかるという作用を有する。
【００５３】
また、表示部を、暗くても発光する発光材料とするものであり、周囲の明るさよりも暗くなる換気装置本体内部でも、ルーバ取付部が見やすくなるという作用を有する。
【００５４】
また、ばね係合部の材質を、ポリプロピレンとしたものであり、剛性が高く、ひび割れないとともに、油に強いばね係合部を形成するという作用を有する。
【００５５】
以下、本発明の実施の形態について、図面を参照しながら説明する。
【００５６】
（実施の形態１）
図１〜図５に示すように、底面１に吸込口２を有し、側面３に通風口４を設けた箱体で内部に送風機５が設けられる本体６と、この本体６の底面１に設けた吸込口２を覆うように形成されたルーバ７と、このルーバ７の裏面部側の通風開口部８の周辺に、一対設けられる二又状で中央に環状部９を設けた開き勝手のばね１０と、このばね１０の環状部９が装着されるばね取付部１１とを設け、本体６の内部で吸込口２側寄りに設けられるばね係合部１２を備え、ばね１０の先端部１３と環状部９の間に筒形状のルーバ取付部１４を設けた換気装置１５であって、底面１にルーバ７を取り付ける際にはルーバ取付部１４と方向性が決定付けられるような同じ形状をしたばね係合部１２に係合させ、底面１からルーバ７を取り外す際にはルーバ７を摺動させてルーバ取付部１４をばね係合部１２から着脱させる構成となっている。
【００５７】
また、ルーバ取付部１４のばね係合部１２と着脱する側の両端に、ばね係合部１２に係合するルーバ取付係合部１６を設け、ルーバ取付係合部１６にはルーバ取付部１４の外側に向って突出す突起部１７を形成している。突起部１７には、ばね係合部１２にルーバ取付部１４を挿入する側に傾斜部１８を設け、ばね係合部１２から取り外す側に傾斜部１９を設けており、ルーバ取付部１４の上面中央部には、ばね１０の先端部１３が突き抜けるために必要な開口部２０が設けており、開口部２０の両端と突起部１７の間にそれぞれ隙間２１を設けた構成となっている。
【００５８】
また、ルーバ取付部１４をばね係合部１２に挿入する際、ルーバ取付部１４のばね係合部１２と着脱する側に、ルーバ取付部１４の挿入を妨げる突起状のストッパー２２を設けてあり、ストッパー２２がばね係合部１２に接触した時点で、ルーバ取付部１４のばね取付部１１への挿入は停止するようになっている。さらに、ルーバ取付部１４には、ストッパー２２より下方側にあたるルーバ取付部１４とばね係合部１２とが重なり合わない部分に滑り止め２３を施してあり、一番広い面積を占める面にはばね係合部１２に取り付ける方向を示す表示部２４を設けており、さらに、表示部２４には暗くても発光する発光材料２５を使用した構成となっている。
【００５９】
また、ばね１０の先端に、ルーバ取付部１４の端部に引っ掛かる、１重の環状部２６とした抜け止め２７を備えている。さらに、ばね１０の先端側２８は、ルーバ取付部１４内部の形状と同じもしくは近似的な形状を備えた構成となっている。
【００６０】
また、ばね係合部１２の材質を、ポリプロピレンとした構成となっている。
【００６１】
上記構成により、ルーバ７の取り付けの際、ルーバ取付部１４とばね係合部の形状が同形状のため、方向性も決定付けられ、一目でルーバ取付部１４を取り付ける場所を把握でき、間違って取り付けられることがなくなる。よって、ルーバ７の取り外しを必要とするお手入れの際、ルーバ７の本体６への取り付けが容易となる。
【００６２】
また、ルーバ７を下方へ引くことでルーバ取付部１４は固定されたまま、ばね１０が閉状態に保持され、ルーバ取付部１４とばね１０を一体で取り外すことができ、ルーバ７の取り外しが容易になり、お手入れがしやすくなるとともに、ルーバ７の取り外し時にばね１０の突発的な開放が無くなり、手などの身体への接触を防ぐことができる。
【００６３】
また、ルーバ取付係合部１６を外側にすることでばね１０の摺動および開放の妨げとならなく、ルーバ７の取り外しが容易になり、さらに、突起部１７に傾斜部１８、傾斜部１９を設けたことで、より少ない力でルーバ取付部１４を取り付けたり、取り外すことができる。そして、隙間２１を設けたことによって、ルーバ取付係合部１６がたわみ易くなり、ルーバ７の取り外し時に、ばね係合部１２からルーバ取付部１４が外れ易く、ばね１０がルーバ取付部１４から外れることを防ぐことができる。よって、ルーバ７の取り外しが容易になり、掃除性が向上することとなる。
【００６４】
また、ストッパー２２を設けたことによって、ルーバ取付部１４のばね係合部１２への入り過ぎを防止することができ、ばね１０が開放するために必要なスペースをしっかりと確保することができ、ばね１０の開放がより確実になる。よって、ばね１０がルーバ７を天井面に引き上げる力を十分に確保することで、ルーバ７と天井との隙間等を防止することができ、インテリア性が向上することとなる。
【００６５】
また、ばね１０の先端に、１重の環状部２６とした抜け止め２７を備えたことによって、ルーバ７を取り外す際に、ばね１０がルーバ取付部１４から抜けないようにすることができ、さらに、環状部２６によって先端に鋭利部を形成しない。よって、ばね１０の突発的な開放がなくなり、ルーバ７着脱時の安全性が向上することとなる。
【００６６】
また、ばね１０の先端側２８に、ルーバ取付部１４内の形状と同じ形状を設けることによって、手を離しても、ばね１０の先端側２８にルーバ取付部１４を保持することができ、さらに、滑り止め２３によって、ルーバ取付部１４を本体６のばね係合部１２に取り付ける際、滑りにくくなり作業がやりやすくなる。よって、ルーバの取り付けおよび取り外し作業が容易になり掃除性が向上することとなる。
【００６７】
また、表示部２４によって、ルーバ取付部１４の取り付け方向がよく分かり、発光材料２５によって暗い場所でもルーバ取付部１４の存在が分かりやすくなる。よって、周囲の明るさよりも暗くなる換気装置１５本体６内部でも、ルーバ取付部１４が見やすくなり、取付方向が分かるため、ルーバ７の取り付けが容易になり、掃除性が向上することとなる。なお、ルーバ取付部１４の取り付け相手であるばね係合部１２にも発光材料２５を使用することによって同様の効果を得ることができる。
【００６８】
また、ばね係合部１２の材質をポリプロピレンとすることで、剛性が高く、ひび割れがないと共に、耐油や耐薬品性のばね係合部１２を形成することができる。よって、ばね１０の力やルーバ取付部１４の係合によってばね係合部１２が破損することがない。
【産業上の利用可能性】
【００６９】
本発明にかかる換気装置は、ルーバの取り付けおよび取り外しを容易にし、さらに、身体に接触するおそれがない効果を奏し、天井に埋め込み設けられる本体にルーバを取り付ける空調機、送風機等にも適用できる。
【符号の説明】
【００７０】
１    底面
２    吸込口
３    側面
４    通風口
５    送風機
６    本体
７    ルーバ
８    通風開口部
９    環状部
１０  ばね
１１  ばね取付部
１２  ばね係合部
１３  先端部
１４  ルーバ取付部
１５  換気装置
１６  ルーバ取付係合部
１７  突起部
１８  傾斜部
１９  傾斜部
２０  開口部
２１  隙間
２２  ストッパー
２３  滑り止め
２４  表示部
２５  発光材料
２６  環状部
２７  抜け止め
２８  先端側
【図１】
0005494784.tif 000002
【図２】
0005494784.tif 000003
【図３】
0005494784.tif 000004
【図４】
0005494784.tif 000005
【図５】
0005494784.tif 000006
【図６】
0005494784.tif 000007
【図７】
0005494784.tif 000008